(57)【要約】【課題】所望の番組を正しく録画可能とする。【解決手段】放送された複数チャネルの信号から選択的に受信されたチャネルの信号が外部電子機器から供給されて、この信号を記録することで所望の番組の録画を行うとき、ＳＴ１で録画開始操作が行われたときは、ＳＴ２で外部電子機器に対してチャネルロック設定要求を行う。ＳＴ３でチャネルロックの完了が判別されたときにはＳＴ４で録画を開始する。ＳＴ６で録画が終了されたときはＳＴ７でチャネルロック解除要求を外部電子機器に対して行う。ＳＴ８でチャネルロックの解除が判別されたときには録画動作を終了する。録画中は、外部電子機器がチャネルロック状態に設定されるので、外部電子機器でチャネル切替操作が行われても、操作が無効とされて、所望の番組を正しく録画できる。外部電子機器を操作してチャネルロックの設定や解除を行わなくとも、自動的にチャネルロックの設定や解除を行える。【選択図】        図３
2004289686.tif 000002
【特許請求の範囲】
【請求項１】
放送された複数チャネルの信号から選択的に受信されたチャネルの信号が外部電子機器から供給される電子機器において、
前記受信されたチャネルの信号を用いて前記電子機器の機能に応じた処理を行う処理手段と、
情報信号の入出力を行う情報信号入出力手段と、
前記処理手段の動作を制御する制御手段とを有し、
前記制御手段は、前記処理手段で前記受信されたチャネルの信号を用いて処理を行っている期間中に前記受信されたチャネルから他のチャネルへの切り替えを禁止する情報信号を、前記情報信号入出力手段から前記外部電子機器に対して出力する
ことを特徴とする電子機器。
【請求項２】
前記処理手段は、前記電子機器の機能に応じた処理として所望の番組の記録を行い、
前記制御手段は、前記処理手段で記録する番組の予約設定時に、該記録する番組についての視聴契約情報を要求する情報信号を、前記情報信号入出力手段から前記外部電子機器に対して出力する
ことを特徴とする請求項１記載の電子機器。
【請求項３】
時計手段を有し、
前記制御手段は、時刻情報を要求する情報信号を前記情報信号入出力手段から前記外部電子機器に対して出力し、前記時刻情報を示す情報信号が前記外部電子機器から前記情報信号入出力手段を介して供給されたとき、該供給された時刻情報を用いて、前記時計手段の時刻を較正する
ことを特徴とする請求項１記載の電子機器。
【請求項４】
放送された複数チャネルの信号から選択的に受信されたチャネルの信号が外部電子機器から供給されるとき、
前記受信されたチャネルの信号を用いて処理を行っている期間中に前記受信されたチャネルから他のチャネルへの切り替えを禁止する情報信号を、前記外部電子機器に対して出力する
ことを特徴とする電子機器制御方法。
【請求項５】
放送された複数チャネルの信号から、いずれかのチャネルの信号を選択的に受信して出力する受信処理手段と、
ユーザの操作に応じた操作信号を生成するユーザインタフェース手段と、
情報信号の入出力を行う情報信号入出力手段と、
前記受信処理手段で選択的に受信するチャネルを設定するための選局制御信号を生成する制御手段とを有し、
前記制御手段は、前記情報信号入出力手段を介して外部電子機器から供給された情報信号が、前記受信処理手段で受信するチャネルの切り替えを禁止する信号であったとき、前記操作信号に応じた前記選局制御信号の生成を禁止する
ことを特徴とする電子機器。
【請求項６】
放送される番組の視聴契約情報を保持した限定受信制御手段を有し、
前記制御手段は、前記情報信号入出力手段を介して前記外部電子機器から供給された情報信号が、前記視聴契約情報を要求する信号であったとき、前記限定受信制御手段から前記視聴契約情報を読み出して前記情報信号入出力手段から前記情報信号として前記外部電子機器に出力する
することを特徴とする請求項５記載の電子機器。
【請求項７】
前記制御手段は、前記情報信号入出力手段を介して前記外部電子機器から供給された情報信号が、時刻情報を要求する信号であったとき、前記受信処理手段を制御して、前記複数チャネルの信号に多重されている時刻情報の抽出を行い、該抽出した時刻情報を前記情報信号入出力手段から前記情報信号として前記外部電子機器に出力させる
することを特徴とする請求項５記載の電子機器。
【請求項８】
放送された複数チャネルの信号から、いずれかのチャネルの信号を選択的に受信して出力するとともに、選局制御信号に基づいて前記選択的に受信するチャネルを設定し、
外部電子機器から供給された情報信号が、前記選択的に受信するチャネルの切り替えを禁止する信号であったとき、ユーザ操作に基づいて生成される操作信号に応じた前記選局制御信号の生成を禁止する
ことを特徴とする電子機器制御方法。
【発明の詳細な説明】
【０００１】
【発明の属する技術分野】
この発明は電子機器および電子機器制御方法に関する。詳しくは、放送された複数チャネルの信号から選択的に受信されたチャネルの信号が供給される電子機器は、供給されたチャネルの信号を用いて処理を行っている期間中に受信されたチャネルから他のチャネルへの切り替えを禁止する情報信号を、信号供給側の電子機器に対して出力する。また、放送された複数チャネルの信号から選択的に受信されたチャネルの信号を供給する信号供給側の電子機器は、選局制御信号に基づいて選択的に受信するチャネルを設定し、選択的に受信するチャネルの切り替えを禁止する情報信号が供給されたときには、ユーザ操作に基づいて生成される操作信号に応じた選局制御信号の生成を禁止するものである。
【０００２】
【従来の技術】
従来の電子機器、例えば録画機能等を有する電子機器は外部入力端子を有しており、この外部入力端子に放送番組の受信機能を有する電子機器を接続することが出来るようになされている。このため、録画機能を有する電子機器が所望の番組を受信する機能を有していなくとも、あるいは、受信機能を有する電子機器が録画機能を有していなくとも、所望の番組を録画することができる。
【０００３】
また、受信機能を有する電子機器、例えば特許文献１に示すＣＡＴＶ用端末器では、録画中にチャネルが切り替えられてタイマー録画が終了されてしまうことがないように、タイマー録画期間中に受信チャネルの変更を行わないロック状態が選択可能とされている。また、特許文献２に示すテレビジョン受像機では、チャネルロックキーを操作してチャネルロック機能を働かしたときに放送番組の切り替えを防止して、接続されているＶＴＲで番組の録画中に番組の切り替えが行われてしまうことが防止されている。
【０００４】
【特許文献１】
特開平７−７５０８２号公報
【特許文献２】
特開平７−７９３８７号公報
【０００５】
【発明が解決しようとする課題】
ところで、放送された複数チャネルの信号から選択的に受信されたチャネルの信号が供給される電子機器（以下「被供給側機器」という）と、放送された複数チャネルの信号から、いずれかのチャネルの信号を選択的に受信して被供給側機器に供給する電子機器（以下「供給側機器」という）を接続して用いる場合、特許文献１や特許文献２のように、チャネルロックの設定が供給側機器のキー操作によって行われるものであると、例えば録画予約等の設定を被供給側機器で行うだけでなく、録画予約等に合わせたチャネルロックの設定を供給側機器でも行わなければならない。このため、録画予約等とチャネルロックの設定を簡単に行うことができない。
【０００６】
また、放送される番組は、無料で視聴できる番組だけでなく、有料番組（例えばペーパービューの番組）や契約した視聴者のみが視聴できる番組が設けられている。さらに、記録可能な番組と記録することができない番組等も設けられている。このため、番組表から所望の番組を選択して録画予約設定を被供給側機器で行っても、録画する番組が視聴契約を行っていない番組や記録できない番組であるときには、録画できない場合が生じてしまう。
【０００７】
さらに、録画予約した所望の番組を最初から最後まで正しく記録するためには、被供給側機器が有している時計機能が正しい時刻を示すものでなければならない。例えば時計が遅れたときには、設定された時刻に録画を開始しても所望の番組の冒頭部分が録画されなくなってしまう。また、時計が進んでいるときには、所望の番組が終了する前に録画が停止されてしまい、所望の番組を終わりまで正しく録画することができない。このため、例えば所定のチャネルで所定の時刻に行われる時報信号を利用して、時計を正しい時刻に較正が行われている。しかし、この時報信号が放送される時刻に他のチャネルの番組を視聴していると、時報信号を受信できないことから時刻の較正を行うことができない。
【０００８】
そこで、この発明では、所望の番組を正しく処理可能とする電子機器および電子機器制御方法を提供するものである。
【０００９】
【課題を解決するための手段】
この発明に係る電子機器は、放送された複数チャネルの信号から選択的に受信されたチャネルの信号が外部電子機器から供給される電子機器において、受信されたチャネルの信号を用いて電子機器の機能に応じた処理を行う処理手段と、情報信号の入出力を行う情報信号入出力手段と、処理手段の動作を制御する制御手段とを有し、制御手段は、処理手段で受信されたチャネルの信号を用いて処理を行っている期間中に受信されたチャネルから他のチャネルへの切り替えを禁止する情報信号を、情報信号入出力手段から外部電子機器に対して出力するものである。
【００１０】
また、電子機器制御方法は、放送された複数チャネルの信号から選択的に受信されたチャネルの信号が外部電子機器から供給されるとき、
受信されたチャネルの信号を用いて処理を行っている期間中に受信されたチャネルから他のチャネルへの切り替えを禁止する情報信号を、外部電子機器に対して出力するものである。
【００１１】
さらに、この発明に係る電子機器は、放送された複数チャネルの信号から、いずれかのチャネルの信号を選択的に受信して出力する受信処理手段と、ユーザの操作に応じた操作信号を生成するユーザインタフェース手段と、情報信号の入出力を行う情報信号入出力手段と、受信処理手段で選択的に受信するチャネルを設定するための選局制御信号を生成する制御手段とを有し、制御手段は、情報信号入出力手段を介して外部電子機器から供給された情報信号が、受信処理手段で受信するチャネルの切り替えを禁止する信号であったとき、操作信号に応じた選局制御信号の生成を禁止するものである。
【００１２】
また、電子機器制御方法は、放送された複数チャネルの信号から、いずれかのチャネルの信号を選択的に受信して出力するとともに、選局制御信号に基づいて選択的に受信するチャネルを設定し、外部電子機器から供給された情報信号が、選択的に受信するチャネルの切り替えを禁止する信号であったとき、ユーザ操作に基づいて生成される操作信号に応じた選局制御信号の生成を禁止するものである。
【００１３】
この発明においては、放送された複数チャネルの信号から選択的に受信されたチャネルの信号が外部電子機器から供給されるとき、受信されたチャネルの信号を用いて電子機器の機能に応じた処理を行っている期間中に他のチャネルへの切り替えを禁止する情報信号が外部電子機器に対して出力される。また、受信されたチャネルの信号を用いた処理として所望の番組の記録を行うとき、記録する番組の予約設定時に、記録する番組についての視聴契約情報を要求する情報信号が外部電子機器に対して出力される。さらに、時刻情報を要求する情報信号を外部電子機器に対して出力し、時刻情報を示す情報信号が外部電子機器から供給されたとき、この供給された時刻情報を用いて時刻の較正が行われる。
【００１４】
また、放送された複数チャネルの信号から、いずれかのチャネルの信号を選択的に受信して外部電子機器に出力するとき、選局制御信号に基づいて選択的に受信するチャネルを設定するとともに、外部電子機器から供給された情報信号が、選択的に受信するチャネルの切り替えを禁止する信号である場合、ユーザ操作に基づいて生成される操作信号に応じた選局制御信号の生成が禁止される。また、外部電子機器から供給された情報信号が、視聴契約情報を要求する信号であったとき、限定受信制御手段から視聴契約情報が読み出されて外部電子機器に出力される。さらに、外部電子機器から供給された情報信号が、時刻情報を要求する信号であったとき、複数チャネルの信号に多重されている時刻情報信号の抽出が行われて、この抽出した時刻情報信号が外部電子機器に出力される。
【００１５】
【発明の実施の形態】
以下、図を参照しながら、この発明の実施の一形態について説明する。図１は、放送された複数チャネルの信号から選択的に受信されたチャネルの信号が供給される電子機器（被供給側機器）１０の構成を示している。なお、放送はケーブルテレビジョンのような番組の配信も含むものである。
【００１６】
外部電子機器によって選択的に受信されたチャネルの例えば映像信号ＤＳｖと音声信号ＤＳａは、外部入力端子１１ａ，１１ｂに供給される。外部入力端子１１ａに供給された映像信号ＤＳｖおよび外部入力端子１１ｂに供給されたや音声信号ＤＳａは、処理部１２のエンコーダ１２１に供給される。なお、入力された映像信号や音声信号がアナログ信号であるときには、デジタル信号に変換してからエンコーダ１２１に供給する。
【００１７】
エンコーダ１２１は、供給された映像信号ＤＳｖや音声信号ＤＳａの符号化処理、例えばＭＰＥＧ（Ｍｏｖｉｎｇ  Ｐｉｃｔｕｒｅ  Ｅｘｐｅｒｔｓ  Ｇｒｏｕｐ）規格に応じた符号化処理を行い、生成した符号化データＤＭを記録装置１２２に供給する。
【００１８】
記録装置１２２は、例えば磁気を利用して記録や再生を行うハードディスク装置、光や光と磁気を利用して記録や再生を行う光ディスク装置、あるいは半導体メモリ等で構成されており、エンコーダ１２１から供給された符号化データＤＭを記録する。また、記録装置１２２では、記録されている符号化データＤＭを読み出してデコーダ１２３に供給する。
【００１９】
デコーダ１２３は、供給された符号化データＤＭの復号化処理を行い、符号化前の映像信号ＤＳｖや音声信号ＤＳａを生成する。この生成された映像信号ＤＳｖは表示重畳回路１２４に供給される。また音声信号ＤＳａは、音声出力信号ＤＡｏｕｔとして外部出力端子１３ｂに供給される。
【００２０】
表示重畳回路１２４は、後述する制御部１５から供給された表示情報信号ＨＳに基づき画面表示信号を生成して映像信号ＤＳｖに重畳させる。この画面表示信号が重畳された映像信号ＤＳｖは、映像出力信号ＤＶｏｕｔとして外部出力端子１３ａに供給される。
【００２１】
制御部１５にはユーザインタフェース１６が接続される。ユーザインタフェース１６は、ユーザが操作する操作キーや、ユーザが操作するリモートコントロール装置からのリモートコントロール信号を受信するリモコン受信回路で構成されており、ユーザのキー操作に応じた操作信号ＰＳＡを生成して制御部１５に供給する。あるいは受信したリモートコントロール信号を操作信号ＰＳＡとして制御部１５に供給する。
【００２２】
制御部１５は、操作信号ＰＳＡに基づいた制御信号ＣＴＡを生成して、この制御信号ＣＴＡによって処理部１２のエンコーダ１２１や記録装置１２２，デコーダ１２３の動作を制御することで、ユーザの操作に応じて映像信号や音声信号の記録あるいは再生を行う。また、種々の情報を表示するための表示情報信号ＨＳを生成して上述したように表示重畳回路１２４に供給することで、映像信号ＤＳｖに基づく画像に種々の情報を重畳させて表示させる。また制御部１５は、外部インタフェース１７を介してデータ入出力端子１８が接続されており、このデータ入出力端子１８に接続された外部電子機器とで情報信号ＤＴの通信を行う。さらに制御部１５は、時計部１９と接続されており、時計部１９から時刻信号ＴＭｊを得て、タイマー動作や設定された時刻に予約動作を行う。また、情報信号ＤＴに基づき時刻較正信号ＴＭｒを生成して時計部１９に供給することで、時計部１９の時刻を較正する。
【００２３】
次に、放送された複数チャネルの信号から、いずれかのチャネルの信号を選択的に受信して被供給側機器に供給する電子機器（供給側機器）２０の構成を図２に示す。
【００２４】
アンテナ端子２１から入力されたＲＦ信号ＳＲＦは、受信処理部２２のチューナ２２１に供給される。チューナ２２１は、後述する制御部２５からの選局制御信号ＴＣに基づき所望のチャネルの信号を選局する。さらに選局した信号の復調処理を行いベースバンドの受信信号ＤＲを生成する。この生成された受信信号ＤＲはデスクランブラ２２２に供給される。
【００２５】
デスクランブラ２２２は、受信信号ＤＲから限定受信に関連する情報、例えば共通情報と個別情報を示す信号ＭＥを分離する。この分離された信号ＭＥは、制御部２５を介して限定受信制御部２９に供給される。
【００２６】
限定受信制御部２９は、視聴契約等がなされて視聴できるチャネルを示す情報や、鍵情報、視聴履歴データや有料番組の視聴に対する課金情報等が記録されているＩＣカード例えばＣＡ（Ｃｏｎｄｉｔｉｏｎａｌ  Ａｃｃｅｓｓ）カード２９１と、ＣＡカード２９１に対して情報の読み出しや書き込み等を行うための限定受信インタフェース２９２を有している。
【００２７】
ＣＡカード２９１では、限定受信インタフェース２９２を介して供給された信号ＭＥに基づき共通情報や個別情報の解読を行い、視聴契約がなされているチャネルの受信信号ＤＲに対してデスクランブル処理を行うために用いる鍵情報Ｋｓを生成する。この鍵情報Ｋｓは、限定受信インタフェース２９２および制御部２５を介して受信処理部２２のデスクランブラ２２２に供給される。
【００２８】
デスクランブラ２２２は、供給された鍵情報Ｋｓを用いて受信信号ＤＲのデスクランブル処理を行い、このデスクランブル処理がなされた信号を受信信号ＤＱとしてデコーダ２２３に供給される。また、鍵情報Ｋｓが供給されていないときには、受信信号ＤＲのデスクランブル処理を行うことなく、受信信号ＤＲを受信信号ＤＱとしてデコーダ２２３に供給する。さらに、デスクランブラ２２２は、制御部２５から供給された制御信号ＣＴＢに基づき、番組等の信号とともに多重化されている時刻情報ＣＫを受信信号ＤＲから抽出して後述する外部インタフェース２７に供給する。
【００２９】
デコーダ２２３は、供給された受信信号ＤＱの復号化処理を行い、所望の番組の映像信号ＤＳｖや音声信号ＤＳａを生成して、外部出力端子２３ａ，２３ｂに供給する。
【００３０】
制御部２５にはユーザインタフェース２６が接続される。ユーザインタフェース２６は、ユーザが操作する操作キーや、ユーザが操作するリモートコントロール装置からのリモートコントロール信号を受信するリモコン受信回路で構成されており、ユーザのキー操作に応じた操作信号ＰＳＢを生成して制御部２５に供給する。あるいは受信したリモートコントロール信号を操作信号ＰＳＢとして制御部２５に供給する。
【００３１】
制御部２５は、操作信号ＰＳＢに基づいた制御信号ＣＴＢを生成して、この制御信号ＣＴＢによってチューナ２２１やデスクランブラ２２２，デコーダ２２３の動作を制御することで、放送された複数チャネルの信号から、いずれかのチャネルの信号をユーザ操作に応じて選択的に受信して外部出力端子２３ａ，２３ｂから出力する。
【００３２】
また制御部２５には、外部インタフェース２７を介してデータ入出力端子２８が接続されており、このデータ入出力端子２８に接続された外部電子機器とで情報信号ＤＴの通信を行う。またデスクランブラ２２２から供給された時刻情報ＣＫに基づき情報信号を生成して、データ入出力端子２８に接続された外部電子機器に出力する。
【００３３】
データ入出力端子１８とデータ入出力端子２８の接続は、例えばＩＥＥＥ１３９４やＵＳＢ（Ｕｎｉｖｅｒｓａｌ  Ｓｅｒｉａｌ  Ｂｕｓ）等のインタフェース規格に準じた伝送路、あるいは赤外線や電波を用いた送受信をデータ入出力端子１８やデータ入出力端子２８に接続して無線の伝送路を介して行う。なお、無線で通信を行う場合には、信号の受信の際にユーザインタフェースを利用することもできる。さらに、セットトップボックスに設けられている高速データポートをデータ入出力端子として用いるものとしてもよい。
【００３４】
また、図示せずも、エンコーダ１２１と外部インタフェース１７を接続するとともに、デコーダ２２３と外部インタフェース２７を接続して、データ入出力端子１８，２８間で映像信号や音声信号の伝送を行うものとしても良い。この場合には、被供給側機器１０と供給側機器２０の接続を容易に行うことができる。
【００３５】
次に、上述の被供給側機器１０と供給側機器２０とを接続して、供給側機器２０で受信したチャネルの信号を被供給側機器１０で処理する場合例えば録画処理する場合の動作について説明する。
【００３６】
図３は、被供給側機器が行う録画動作を示したフローチャートであり、図４は、供給側機器のチャネルロック応答動作の一部を示したフローチャートである。なお
図３のステップＳＴ１では、録画開始操作が行われたか否かを判別する。ここで、現在供給されているチャネルの信号を記録する操作がユーザインタフェース１６を介して行われたとき、あるいは録画の予約設定を行い、設定した録画開始時刻となったときには、録画開始操作が行われたものとしてステップＳＴ２に進む。また、現在供給されているチャネルの信号を記録する操作が行われていないとき、あるいは録画開始時刻になっていないときにはステップＳＴ１に戻る。
【００３７】
録画開始操作が行われてステップＳＴ１からステップＳＴ２に進むと、ステップＳＴ２では、チャネルロック設定要求処理を行う。このチャネルロック設定要求処理では、制御部１５から外部インタフェース１７を介してデータ入出力端子１８に接続されている供給側機器２０に対して、受信チャネルの固定を要求する情報信号ＤＴを出力する。
【００３８】
図５は、被供給側機器１０と供給側機器２０との間で、データ入出力端子１８，２８を介して伝送される情報信号ＤＴの一形態を示している。
【００３９】
情報信号ＤＴ（＃１）は接続された機器に対して電源をオン状態とする要求（Ｐｏｗｅｒ  ＯＮ）を行う信号、情報信号ＤＴ（＃２）は接続された機器に対して電源をオフ状態とする要求（Ｐｏｗｅｒ  ＯＦＦ）をい行う信号、情報信号ＤＴ（＃３）は接続された機器での受信チャネルをチャネル番号の大きい方向に切り替える要求（ＣＨ  ＋）を行う信号、情報信号ＤＴ（＃４）は接続された機器での受信チャネルをチャネル番号の小さい方向に切り替える要求（ＣＨ  −）を行う信号である。
【００４０】
また、情報信号ＤＴ（＃ｍ）は接続された機器に対して受信チャネルを固定させる要求（ＣＨ  Ｌｏｃｋ）を行う信号、情報信号ＤＴ（＃ｍ＋１）は接続された機器に対して受信チャネルの固定を解除させる要求（ＣＨ  Ｕｎｌｏｃｋ）を行う信号である。
【００４１】
情報信号ＤＴ（＃ｎ）は録画予約の設定状態を通知する信号であり、録画予約であることを示す情報（Ｒｅｃｏｒｄ）とチャネル番号（ＣＨ）や録画開始時刻（Ｓｔａｒｔ  Ｔｉｍｅ）、録画時間（Ｄｕｒａｔｉｏｎ）等が示される。情報信号ＤＴ（＃ｎ）は、録画予約された番組に関する視聴契約情報を通知する信号であり、契約した視聴者のみが視聴できる番組や有料番組（以下、まとめて「視聴契約番組」という）あるいは無料番組であるか等を示す情報（Ｃｏｎｔｒａｃｔ）やチャネル番号（ＣＨ）を示す。また、視聴契約情報には、記録が可能な番組であるか否か等のコピー制限情報（Ｃｏｎｄｉｔｉｏｎ）や、記録された番組の視聴可能期間や視聴可能回数等の制限を行うための利用制限情報（Ｅｘｐｉｒｅ）を含めて通知するものとしても良い。
【００４２】
情報信号ＤＴ（＃ｎ＋２）は接続された機器に対して時刻情報の要求（Ｄａｙ／Ｔｉｍｅ）を行う信号、情報信号ＤＴ（＃ｎ＋３）は接続された機器に対して時刻情報の通知（Ｄａｙ）（Ｔｉｍｅ）を行う信号である。さらに、情報信号ＤＴ（＃ｐ）は要求された処理の完了通知（Ａｃｋ）を接続された機器に対して行う信号、情報信号ＤＴ（＃ｐ＋１）は要求された処理の未完了通知（Ｎｏ  Ａｃｋ）を接続された機器に対して行う信号である。
【００４３】
なお、情報信号ＤＴは、被供給側機器１０や供給側機器２０を制御するために既に用いられている信号を利用しても良い。例えば被供給側機器１０や供給側機器２０に対応して設けられたリモートコントロール装置から出力されるリモコンコードに準じた信号等を用いることもできる。この場合には、情報信号ＤＴの判別を容易に行うことが可能となる。
【００４４】
ここで、ステップＳＴ２では、受信チャネルの固定を要求する情報信号として情報信号ＤＴ（＃ｍ）を、被供給側機器１０から供給側機器２０に出力する。
【００４５】
図４のステップＳＴ１１では、受信チャネルの固定要求が行われたか否かを判別する。ここで、受信チャネルの固定を要求する情報信号ＤＴ（＃ｍ）を受信したときには、受信チャネルの固定要求が行われたと判別してステップＳＴ１２に進む。また、情報信号ＤＴ（＃ｍ）を受信していないときには、受信チャネルの固定要求が行われていない判別してステップＳＴ１４に進む。
【００４６】
ステップＳＴ１２では、チャネルロック設定処理を行う。このチャネルロック設定処理では、ユーザインタフェース２６から供給された操作信号ＰＳＢによってチャネルの切替操作が行われたことが示されても、この操作信号ＰＳＢに応じた選局制御信号ＴＣの生成を禁止することで、チャネルの切替操作を無効とする。
【００４７】
ステップＳＴ１３では、チャネルロック完了通知を行う。このチャネルロック完了通知では、制御部２５から外部インタフェース２７を介してデータ入出力端子２８に接続されている被供給側機器１０に対して、要求に対する設定の完了を示す情報信号ＤＴ（＃ｐ）を出力する。
【００４８】
図３のステップＳＴ３では、チャネルロックが完了したか否かを判別する。ここで、受信チャンネルの固定を要求する情報信号ＤＴ（＃ｍ）を出力してから所定期間内に、供給側機器２０から設定の完了を示す情報信号ＤＴ（＃ｐ）が供給されたときには、チャネルロックの完了としてステップＳＴ４に進む。また、所定期間内に情報信号ＤＴ（＃ｐ）が供給されないとき、あるいは要求に対する処理の未完了を示す情報信号ＤＴ（＃ｐ＋１）が供給されたときは、チャネルロックが完了していないと判別してステップＳＴ２に戻り、再度チャネルロック設定要求処理を行う。
【００４９】
ステップＳＴ４では、録画を開始して、録画操作が行われた番組あるいは録画予約設定されている番組を記録装置１２２に記録する。
【００５０】
ステップＳＴ５では、録画が終了されたか否かを判別する。ここで、録画停止操作が行われていないとき、あるいは設定されている録画終了時刻となっていないときには、録画が終了していないと判別してステップＳＴ５に戻る。また、録画停止操作が行われたとき、あるいは録画終了時刻となったときは、録画が終了したと判別してステップＳＴ６に進む。
【００５１】
ステップＳＴ６では、録画を終了してステップＳＴ７に進み、チャネルロック解除要求処理を行う。このチャネルロック解除要求処理では、制御部１５から外部インタフェース１７を介して供給側機器２０に対し、受信チャネルの固定を解除させる要求を行う情報信号ＤＴ（＃ｍ＋１）を出力する。
【００５２】
図４のステップＳＴ１１で、受信チャネルの固定要求が行われていないと判別されてステップＳＴ１４に進むと、ステップＳＴ１４では、受信チャネルの固定解除要求がなされたか否かを判別する。ここで、受信チャネルの固定を解除させる要求を行う情報信号ＤＴ（＃ｍ＋１）を受信したときには、ステップＳＴ１５に進む。また、情報信号ＤＴ（＃ｍ＋１）を受信していないときには、受信チャネルの固定解除要求がなされていないと判別してチャネルロック応答動作を終了する。
【００５３】
ステップＳＴ１５では、チャネルロック解除処理を行う。このチャネルロック解除処理では、ユーザインタフェース２６から供給された操作信号ＰＳＢによってチャネルの切替操作が行われたとき、この操作信号ＰＳＢに応じた選局制御信号ＴＣの生成を行うことで、チャネルの切替操作を有効とする。
【００５４】
ステップＳＴ１６では、チャネルロック解除完了通知を行う。このチャネルロック解除完了通知では、制御部２５から外部インタフェース２７を介して被供給側機器１０に、要求に対する設定の完了を示す情報信号ＤＴ（＃ｐ）を出力する。
【００５５】
図３のステップＳＴ８では、チャネルロックの解除が完了したか否かを判別する。ここで、受信チャンネルの固定を解除させる要求を行う情報信号ＤＴ（＃ｍ＋１）を出力してから所定期間内に、供給側機器２０から設定の完了を示す情報信号ＤＴ（＃ｐ）が供給されたときには、チャネルロックの解除が完了したと判別して録画処理を終了する。また、所定期間内に情報信号ＤＴ（＃ｐ）が供給されないとき、あるいは要求に対する処理の未完了を示す情報信号ＤＴ（＃ｐ＋１）が供給されたときはチャネルロックの解除が完了していないと判別してステップＳＴ７に戻り、再度チャネルロック解除要求処理を行う。
【００５６】
このように、被供給側機器１０の録画動作に応じて供給側機器２０のチャネルロック設定やチャネルロックの解除を自動的に行うことができるので、被供給側機器１０の録画予約等の設定に応じて供給側機器２０でチャネルロックの設定を行わなくとも、録画予約等に合わせたチャネルロックの設定を簡単に行うことができる。
【００５７】
さらに、予約設定された番組の録画では、ステップＳＴ２のチャネルロック設定処理において、情報信号ＤＴ（＃ｎ）を被供給側機器１０から供給側機器２０に供給することにより、チャネルロックの設定を行う前に、受信チャネルを録画する番組のチャネルに切り替えるものとしても良い。この場合には、録画予約の設定を行うだけで、自動的に供給側機器２０の受信チャネルやチャネルロックの制御を行うことができる。
【００５８】
次に、録画可能な番組のみを録画予約可能とする予約設定処理について説明する。図６は、被供給側機器が行う録画予約設定動作を示したフローチャートである。また、図７は供給側機器が行う視聴契約情報応答動作を示したフローチャートである。
【００５９】
図６のステップＳＴ２１では予約番組の設定が行われたか否かを判別する。ここで、録画する番組のチャネルや録画開始時刻、録画時間等の設定が完了したときにはステップＳＴ２２に進む。また、予約番組の設定が行われていないときには、録画予約設定動作を終了する。
【００６０】
ステップＳＴ２２では、視聴契約情報要求処理を行う。この視聴契約情報要求処理では、ステップＳＴ２１で設定された番組について視聴契約情報を得るため、録画予約の設定状態を通知する情報信号ＤＴ（＃ｎ）を供給側機器２０に出力する。
【００６１】
図７のステップＳＴ３１では、視聴契約情報の要求がなされたか否かを判別する。ここで、録画予約の設定状態を通知する情報信号ＤＴ（＃ｎ）が供給されたときには、視聴契約情報の要求が行われたものとしてステップＳＴ３２に進む。また、情報信号ＤＴ（＃ｎ）が供給されていないときには、視聴契約情報の要求が行われていないものとして視聴契約情報応答動作を終了する。
【００６２】
ステップＳＴ３２では、視聴契約情報読出処理を行う。この視聴契約情報読出処理では、情報信号ＤＴ（＃ｎ）で示された番組あるいは番組のチャネルをＣＡカード２９１に通知して、契約されている番組のチャネルであるか否か、有料番組あるいは無料番組であるかを示す視聴契約情報の要求を行う。
【００６３】
ステップＳＴ３３では、ＣＡカード２９１から視聴契約情報が通知されたかどうか判断する。ここで、視聴契約情報が通知されないときにはステップＳＴ３２に戻り視聴契約情報読出処理を繰り返す。また、視聴契約情報がＣＡカード２９１から通知された場合にはステップＳＴ３４に進む。
【００６４】
ステップＳＴ３４では、視聴契約情報応答処理を行う。この視聴契約情報応答処理では、ＣＡカード２９１から通知された視聴契約情報に基づいて情報信号ＤＴ（＃ｎ＋１）を生成し、この情報信号ＤＴ（＃ｎ＋１）を被供給側機器１０に出力して視聴契約情報応答動作を終了する。
【００６５】
図６のステップＳＴ２３では、視聴契約情報の応答がなされたか否かを判別する。ここで、視聴契約情報を得るため録画予約の設定状態を通知する情報信号ＤＴ（＃ｎ）を出力してから所定期間内に、供給側機器２０から情報信号ＤＴ（＃ｎ＋１）が供給されたときには、視聴契約情報の応答がなされたと判別してステップＳＴ２４に進む。また、所定期間内に情報信号ＤＴ（＃ｎ＋１）が供給されないとき、あるいは要求に対する処理の未完了を示す情報信号ＤＴ（＃ｐ＋１）が供給されたときは、視聴契約情報の応答がなされていないと判別してステップＳＴ２２に戻り、再度視聴契約情報要求処理を行う。
【００６６】
ステップＳＴ２４では、予約設定した番組が契約されているか否かを判別する。ここで、供給側機器２０から供給された情報信号ＤＴ（＃ｎ＋１）によって、契約されていることが示されたときにはステップＳＴ２９に進む。また、契約されているごとが示されていないときにはステップＳＴ２５に進む。
【００６７】
ステップＳＴ２５では、予約設定した番組が有料番組であるか否かを判別する。ここで、情報信号ＤＴ（＃ｎ＋１）によって、有料番組であることが示されたときにはステップＳＴ２６に進む。また、有料番組であることが示されていないときにはステップＳＴ２８に進む。
【００６８】
ステップＳＴ２６では、有料番組であることを表示してステップＳＴ２７に進む。この有料番組表示は、例えば予約設定を行うメニュー表示や予約設定された番組が有料番組であることを表示するための表示情報信号ＨＳを表示重畳回路１２４に供給する。このとき、表示情報信号ＨＳに基づいた画面表示信号ＤＳｏｓｄが映像信号ＤＳｖに重畳されるので、この画面表示信号ＤＳｏｓｄが重畳された映像信号ＤＳｖを用いて画像表示を行えば、表示装置の画面上にメニュー表示や予約設定された番組が有料番組であることを表示を行うことができる。また被供給側機器１０に表示部を設けて、この表示部で有料番組であることを表示するものとしても良い。
【００６９】
ステップＳＴ２７では、有料番組の録画を実行するか否かを判別する。ここで、ステップＳＴ２６での有料番組表示に対して、ユーザインタフェース１６を介して録画を実行する操作が行われたときにはステップＳＴ２９に進み、有料番組であるため録画を中止する操作が行われたときにはステップＳＴ３０に進む。
【００７０】
ステップＳＴ２８では、非視聴契約表示を行いステップＳＴ３０に進む。この非視聴契約表示では、例えば視聴契約を結ばなければ視聴できない旨の表示を行う。この非視聴契約表示は、有料番組表示と同様にして表示装置の画面上や表示部に表示できる。
【００７１】
ステップＳＴ２９では予約設定登録処理を行い、ステップＳＴ２１で設定が行われている予約番組を録画する番組として登録する。また、ステップＳＴ３０では予約設定取消処理を行い、ステップＳＴ２１で設定が行われている予約番組に対して、既に行われた設定を無効とする。
【００７２】
なお、図６に示す処理では、有料番組や非視聴契約の表示を行うものとしたが、情報信号ＤＴ（＃ｎ＋１）に上述のコピーコントロール情報や制限情報が含まれているときには、これらの情報も表示すれば、録画を行うか否かの判断を更に詳細に行うことができる。
【００７３】
このように、予約番組の設定が行われたときには、設定した番組や番組のチャネルに関する視聴契約情報が表示されるので、視聴できない番組が録画予約されてしまうことを防止できる。また意図せずに有料番組が録画予約されてしまうことも防止できる。
【００７４】
次に、録画予約された番組の記録を正しい時刻で行うための時刻較正動作について説明する。図８は、被供給側機器が行う時刻較正動作を示したフローチャートである。また図９は、供給側機器が行う時刻情報応答動作を示したフローチャートである。
【００７５】
図８のステップＳＴ４１では、時刻合わせを行うか否かを判断する。例えば所定のチャネルで所定の時刻に行われる時報信号を得ることができないとき、あるいはユーザインタフェース１６を介して時刻の較正を行う操作が行われたときには、時計合わせを行うものとしてステップＳＴ４２に進む。また、時報信号を得ることができているとき、あるいは時刻の較正を行う操作が行われていないときには時刻較正動作を終了する。
【００７６】
ステップＳＴ４２では、時刻情報要求処理を行う。この時刻情報要求処理では、制御部１５から外部インタフェース１７を介してデータ入出力端子１８に接続されている供給側機器２０に対して、時刻情報を要求する情報信号ＤＴ（＃ｎ＋２）を出力する。
【００７７】
図９のステップＳＴ５１では、時刻情報の要求がなされたか否かを判別する。ここで、時刻情報を要求する情報信号ＤＴ（＃ｎ＋２）を受信したときには、時刻情報の要求がなされたものと判別してステップＳＴ５２に進む。また情報信号ＤＴ（＃ｎ＋２）を受信していないときには、時刻情報の要求がなされていないと判別して時刻情報応答動作を終了する。
【００７８】
ステップＳＴ５２では、時刻情報抽出処理を行う。デジタル放送では、複数チャネルの映像信号や音声信号だけでなく、時刻情報や限定受信のために用いられる情報および電子番組案内情報等の信号を多重符号化して伝送することが行われている。この多重符号化方式として、例えばＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１３８１８−１で規格化されているトランスポートストリーム（ＴＳ：Ｔｒａｎｓｐｏｒｔ  Ｓｔｒｅａｍ）が採用されている。
【００７９】
図１０は、トランスポートストリームの構成を示している。トランスポートストリームは、図１０Ａに示すようにＴＳパケットで構成されている。ＴＳパケットは、図１０Ｂに示すように１８８バイトの固定長のパケットとされており、ＴＳヘッダとＴＳペイロードおよび／またはアダプテーションフィールドで構成されている。ＴＳパケットのＴＳヘッダは、ＴＳパケットの先頭を検出するための同期バイト、パケット中のビットエラーの有無を示す誤り表示、新たなＰＥＳパケットの開始を示すユニット開始表示、パケットの重要度を示す優先度、パケットの属性を示すＰＩＤ（Ｐａｃｋｅｔ  Ｉｄｅｎｔｉｆｉｃａｔｉｏｎ）等で構成される。アダプテーションフィールドは、ＴＳペイロードのデータに関する情報を示すことができるものである。例えば、アダプテーションフィールドのコンディショナルコーディングによって時間基準情報であるＰＣＲ（Ｐｒｏｇｒａｍ  Ｃｌｏｃｋ  Ｒｅｆｅｒｅｎｃｅ）を示すことができる。このＰＣＲは、符号化されているビットストリームを復号化する際に、符号化したときの基準時間を再現するための参照値である。ＴＳペイロードは、画像や音声のビットストリームであるＰＥＳ（Ｐａｃｋｅｔｉｚｅｄ  Ｅｌｅｍｅｎｔａｒｙ  Ｓｔｒｅａｍ）のパケットデータ等を用いて構成される。
【００８０】
ここで、ＰＩＤが「０ｘ００００」のパケットは、ＰＡＴ（Ｐｒｏｇｒａｍ  Ａｓｓｏｃｉａｔｉｏｎ  Ｔａｂｌｅ）のパケットであることを示している。ＰＡＴは、プログラム番号毎に、そのプログラムを構成するパケットの情報を伝送するＰＭＴ（Ｐｒｏｇｒａｍ  Ｍａｐｐｅｄ  Ｔａｂｌｅ」のＰＩＤを示すものであり、ＰＡＴで示されたＰＩＤのパケットを選択することで、各プログラムのＰＭＴを得ることができる。さらにＰＭＴによって示されたＰＩＤを用いてパケットを選択することで、各プログラムの映像や音声等の信号と選択することができる。
【００８１】
ＰＩＤが「０ｘ０００１」のパケットは、ＣＡＴ（Ｃｏｎｄｉｔｉｏｎａｌ  Ａｃｃｅｓｓ  Ｔａｂｌｅ）のパケットであることを示している。このＣＡＴは、限定受信放送のスクランブルを解くための解読情報を示すものである。
【００８２】
また、ＰＩＤが「０ｘ００１４」のパケットは、ＴＤＴ（Ｔｉｍｅ  Ｄａｔｅ  Ｔａｂｌｅ）のパケットであることを示している。このＴＤＴは、現在の日付と時刻を示すものである。このため、デスクランブラ２２２によって、多重化されているＰＩＤが「０ｘ００１４」のパケットを抽出することで、現在の日付と時刻を示す時刻情報を得ることができる。
【００８３】
ステップＳＴ５３では、時刻情報を取得できたかどうか判断する。ここで、時刻情報を取得できないときにはステップＳＴ５２に戻り時刻情報の取得を繰り返す。また、時刻情報を取得できた場合にはステップＳＴ５４に進む。
【００８４】
ステップＳＴ５４では、時刻情報応答処理を行う。時刻情報応答処理では、デスクランブラ２２２によって抽出した時刻情報に基づいて情報信号ＤＴ（＃ｎ＋３）を生成し、この情報信号ＤＴ（＃ｎ＋３）を被供給側機器１０に伝送して時刻情報応答動作を終了する。
【００８５】
図８のステップＳＴ４３では、時刻情報の応答がなされたか否かを判別する。ここで、時刻情報を要求する情報信号ＤＴ（＃ｎ＋２）を出力してから所定期間内に、供給側機器２０から情報信号ＤＴ（＃ｎ＋３）が供給されたときには、時刻情報の応答がなされたと判別してステップＳＴ４４に進む。また、所定期間内に情報信号ＤＴ（＃ｎ＋３）が供給されないとき、あるいは要求に対する処理の未完了を示す情報信号ＤＴ（＃ｐ＋１）が供給されたときは、時刻情報の応答がなされていないと判別してステップＳＴ４２に戻り、再度時刻情報要求処理を行う。
【００８６】
ステップＳＴ４４では、時刻較正を行う。この時刻較正では、情報信号ＤＴ（＃ｎ＋３）で示された時刻情報を用いて時刻較正信号ＴＭｒを生成して時計部１９に供給することで、時計部１９から正しい時刻を示す時刻信号ＴＭｊが出力されるように時刻を較正して時刻較正動作を終了する。
【００８７】
このように、時報信号が放送される時刻に、時報信号が放送されるチャネルとは異なるチャネルの番組を視聴している場合であっても、被供給側機器１０の時計機能を正しい時刻に較正できるので、録画予約した所望の番組を最初から正しく記録することができる。
【００８８】
また、上述の実施の形態では、選択的に受信されたチャネルの信号を用いて行う被供給側機器１０の機能に応じた処理として、受信されたチャネルで放送される番組を録画する場合について説明したが、被供給側機器１０の機能に応じた処理は、番組の録画に限られるものではない。例えば供給された信号に基づいて番組提示処理を行うものとすれば、所望の番組を正しく視聴することが可能となる。すなわち、被供給側機器１０を操作して所望の番組を視聴するとき、受信チャネルの固定を要求する情報信号を供給側機器２０に出力することで、供給側機器２０を操作しなくともチャネルロックの設定を行える。このため、供給側機器２０でチャネル切替操作が行われても受信チャネルが切り替えられてしまうことがなく、所望の番組の視聴を中断されることなく行える。また、時計部１９を正しい時刻に較正できるので、所望の時刻に所望の番組の提示が行われるようにタイマー設定を行ったとき、番組の放送開始後に番組の提示が行われて、番組の冒頭部分が視聴できなくなってしまうことを防止できる。
【００８９】
さらに、所望の番組の信号をハードディスク装置に記録するとともに、この記録された信号を読み出して番組の提示を行う所謂タイムシフト機能を行う場合にも、上述のようにチャネルロックを行えば、番組の途中でチャネル切り替えが行われてしまうことを容易に防止できる。
【００９０】
【発明の効果】
この発明によれば、放送された複数チャネルの信号から選択的に受信されたチャネルの信号が外部電子機器から供給されるとき、受信されたチャネルの信号を用いて電子機器の機能に応じた処理を行っている期間中に他のチャネルへの切り替えを禁止する情報信号が外部電子機器に対して出力される。このため、外部電子機器を操作しなくとも、電子機器で行う処理に応じて自動的に外部電子機器のチャネルロック設定やチャネルロックの解除を行うことができる。
【００９１】
また、受信されたチャネルの信号を用いた処理として所望の番組の記録を行うとき、記録する番組の予約設定時に、記録する番組についての視聴契約情報を要求する情報信号が外部電子機器に対して出力されるので、外部電子機器から応答された視聴契約情報に基づき、視聴できない番組を録画予約してしまうことを防止できる。また意図せずに有料番組を録画予約してしまうことも防止できる。
【００９２】
さらに、時刻情報を要求する情報信号を外部電子機器に対して出力し、時刻情報を示す情報信号が外部電子機器から供給されたとき、該供給された時刻情報を用いて時刻の較正が行われる。このため、電子機器の機能に応じた処理を所望の時刻に正しく行うことができる。
【００９３】
また、放送された複数チャネルの信号から、いずれかのチャネルの信号を選択的に受信して出力するとともに、選局制御信号に基づいて選択的に受信するチャネルを設定し、外部電子機器から供給された情報信号が、選択的に受信するチャネルの切り替えを禁止する信号であったとき、ユーザ操作に基づいて生成される操作信号に応じた選局制御信号の生成が禁止される。このため、受信されたチャネルの信号を用いて外部電子機器で処理を行っている期間中にチャネルの切り替えを行ってしまうことを防止できる。
【００９４】
また、外部電子機器から供給された情報信号が、視聴契約情報を要求する信号であったとき、限定受信制御手段から視聴契約情報が読み出されて外部電子機器に出力される。このため、外部電子機器は、視聴できない番組や意図せずに有料番組の録画予約を防止できる。
【００９５】
さらに、外部電子機器から供給された情報信号が、時刻情報を要求する信号であったとき、複数チャネルの信号に多重されている時刻情報信号の抽出が行われて、この抽出した時刻情報信号が外部電子機器に出力される。このため、外部電子機器は、時計機能の時刻を正しい時刻に較正することできる。
【図面の簡単な説明】
【図１】被供給側機器の構成を示す図である。
【図２】供給側機器の構成を示す図である。
【図３】被供給側機器が行う録画動作を示すフローチャートである。
【図４】供給側機器が行うチャネルロック応答動作を示すフローチャートである。
【図５】情報信号の一形態を示す図である。
【図６】被供給側機器が行う録画予約設定動作を示すフローチャートである。
【図７】供給側機器が行う視聴契約情報応答動作を示すフローチャートである。
【図８】被供給側機器が行う時刻較正動作を示すフローチャートである。
【図９】供給側機器が行う時刻情報応答動作を示すフローチャートである。
【図１０】トランスポートストリームを説明するための図である。
【符号の説明】
１０・・・被供給側機器、１１ａ，１１ｂ・・・外部入力端子、１２・・・処理部、１３ａ，１３ｂ，２３ａ，２３ｂ・・・外部出力端子、１５，２５・・・制御部、１６，２６・・・ユーザインタフェース、１７，２７・・・外部インタフェース、１８，２８・・・データ入出力端子、１９・・・時計部、２０・・・供給側機器、２１・・・アンテナ端子、２２・・・受信処理部、２９・・・限定受信制御部、１２１・・・エンコーダ、１２２・・・記録装置、１２３，２２３・・・デコーダ、１２４・・・表示重畳回路、２２１・・・チューナ、２２２・・・デスクランブラ、２９１・・・ＣＡカード、２９２・・・限定受信インタフェース
【図１】
2004289686.tif 000003
【図２】
2004289686.tif 000004
【図３】
2004289686.tif 000005
【図４】
2004289686.tif 000006
【図５】
2004289686.tif 000007
【図６】
2004289686.tif 000008
【図７】
2004289686.tif 000009
【図８】
2004289686.tif 000010
【図９】
2004289686.tif 000011
【図１０】
2004289686.tif 000012